【事件の表示】
　特願２００７−　１１７２７「放送受信装置および放送表示方法」拒絶査定不服審判事件〔平成２０年　７月３１日出願公開、特開２００８−１７８０２６〕について、次のとおり審決する。
【結　論】
　本件審判の請求は、成り立たない。
【理　由】
１．手続の経緯
　本願は、平成１９年１月２２日の出願であって、平成２４年１月２６日付けの拒絶理由の通知に対し、平成２４年３月３０日付けで手続補正がなされたが、平成２４年５月９日付けで拒絶査定がなされ、これを不服として平成２４年８月１５日に本件審判請求がなされると同時に手続補正がなされた。その後、さらに、平成２４年９月７日付けで拒絶理由が通知され、平成２４年１１月１２日付けで手続補正がなされ、平成２４年１２月３日付けで拒絶理由が通知され、平成２５年２月１２日付けで手続補正がなされ、平成２５年３月１日付けで拒絶理由が通知され、平成２５年５月７日付けで手続補正がなされた。
　
２．本願発明
　本願の請求項１−４に係る発明は、平成２４年３月３０日付けの手続補正、平成２４年８月１５日付けの手続補正、平成２４年１１月１２日付けの手続補正、平成２５年２月１２日付けの手続補正、平成２５年５月７日付けの手続補正により補正された特許請求の範囲の請求項１−４に記載された事項により特定されるものであるところ、その請求項３に係る発明（以下、「本願発明」という）は、次のとおりのものである。
　
［本願発明］
「放送受信装置が、受信中のチャンネルで放送中の番組本編が終了した後にコマーシャルが開始されると、当該コマーシャル中に、当該受信中のチャンネルで次に放送される番組の情報又は前記開始時刻と同時刻に他のチャンネルで放送が開始される番組の情報を表示する放送表示方法。」
　
３．刊行物
（１）刊行物１の記載事項
　平成２５年３月１日付けで通知した拒絶の理由で引用された本願の出願前に頒布された刊行物である特開２００２−３４４８４２号公報（以下、「刊行物１」という）には、図面とともに次の事項が記載されている。
　
「【０００１】
【発明の属する技術分野】
　この発明は、放送番組情報等を取得して表示できる装置および方法の改良に関する。とくに、特定の時間または所定のタイミングで番組情報を自動的に表示できる装置および方法に関する。
【０００２】
【従来の技術】
　従来より、電子番組表（エレクトリック・プログラム・ガイド：ＥＰＧ）を表示することによりユーザの便宜を図ったテレビジョン受像機あるいはテレビジョンチューナ（もしくはチューナ内蔵のビデオレコーダ／ＨＤＤレコーダ）が存在する。」
　
「【００１５】
【発明の実施の形態】
　以下、図面を参照して、この発明の一実施の形態に係る放送番組情報表示装置および放送番組情報表示方法を説明する。
【００１６】
　図１は、この発明の一実施の形態に係る放送番組情報表示装置の構成を説明するブロック図である。
【００１７】
　アンテナ（衛星放送を受信するＢＳアンテナおよび地上波放送を受信するＶＨＦ／ＵＨＦアンテナ）１０で受信された放送波信号は、ＴＶチューナ１２のアンテナ入力端子に供給される。チューナ１２は、複数放送チャネルを含むＢＳデジタル放送および地上波アナログ放送（近い将来には地上波デジタル放送）を受信し、受信した放送チャネルの信号（デジタル放送ならＭＰＥＧトランスポートストリーム）をデコード装置１４に送る。」
　
「【００３４】
　図６は、現在視聴中の番組が終了する際（または番組終了のＡ分前）に、図１の表示装置２０に番組表を自動的に表示する処理を説明するフローチャートである。この処理は、図１の制御部２４で実行される。図２〜図４の表示例に沿った一連のユーザ操作に対応する処理は、たとえば次のようになる。、まず、ユーザはリモコンのメニューキー（図示せず）を押して図２のメニュー画面２００を開く。そして、リモコンのカーソル上下キー（図示せず）で「自動番組表表示機能」を「利用する」２００Ａに設定し、決定ボタン（図示せず）を押す（ステップＳＴ１０イエス）。この機能を利用したくないときは、カーソル上下キーで「自動番組表表示機能」を「利用しない」２００Ｂに設定し、決定ボタンを押す（ステップＳＴ１０ノー）。
【００３５】
　図２のメニュー画面２００で「利用する」２００Ａが設定されると（ステップＳＴ１０イエス）、図３の設定画面２０２となる。ユーザは、手元のリモコン操作により、“番組表を自動的に表示したいタイミング”に関する各項目をカーソル上下キーで選択し、希望する項目（１または複数）をカーソル左右キー（図示せず）で「ＯＮ」に設定し、決定ボタンを押す。ここでは、「現在ＣＨの番組が終了するとき」だけが「ＯＮ」に設定された場合を想定して、説明を続ける。
【００３６】
　「現在ＣＨの番組が終了するとき」の項目に選択カーソルがある場合に決定ボタンが押されると（ステップＳＴ１２イエス）、図４の設定画面２０４となり、「番組終了の何分前に自動番組表表示機能を動作させるか」を設定できるようになる。ここでは、「現在視聴している番組が終了する“２分前”に番組表の自動表示機能を動作させる」場合を説明する。この場合、リモコンのカーソル左右キーで「Ａ＝２分前」を選択し（あるいは図示しないテンキーの「２」を押し）、決定ボタンを押す。もし番組終了と同時に番組表の自動表示機能を動作させたい場合は、「Ａ＝０分前」を選択し（あるいはテンキーの「０」を押し）、決定ボタンを押す（ステップＳＴ１４）。
【００３７】
　以上の操作が終わると、現在視聴している番組が終了する２分前に（ステップＳＴ１６イエス）、電子番組表（放送番組一覧表または裏番組表）が表示装置２０の画面上に自動的に表示されるようになる（ステップＳＴ１８）。
【００３８】
　たとえば、現在（ＰＭ６：０３）視聴している番組が図５に示されるような「ＰＭ６：００から始まった５チャネルのニュース番組」であるとする。この番組視聴中に現在時刻がＰＭ６：５８になると、図７に例示されるような放送番組一覧表（ＰＭ７：００の番組リスト）２１０が表示される。この一覧表２１０には、ＰＭ７：００から放送が開始されるチャネルＣＨ１の番組２１１の他、ＰＭ７：００から放送が開始される他チャネルＣＨ２〜ＣＨ４の裏番組２１２〜２１４がリストアップされる。さらに、放送番組一覧表２１０とともに、この表２１０にリストアップされた番組が間もなく始まるというアラートダイアログ２２０も、適宜、表示装置２０に表示される。
【００３９】
　この表示を見たユーザは、ＰＭ６：５８〜ＰＭ７：００の間にリモコンのカーソル上下キーを操作して番組２１１〜２１４のいずれかを選択できる。そして、その番組内容を確認後、決定キーを押せば、選択した番組（たとえばＣＨ１の番組「宇宙船地球号」２１１）を最初から視聴できるようになる。」
　
「【００４１】
　図７の例では、自動的に表示された番組表２１０を用いて、次に視聴する番組への切り換えをユーザが該当時間内（ここではＰＭ６：５８〜ＰＭ７：００の間）行うようになっている。これ以外に、該当時間内（ＰＭ６：５８〜ＰＭ７：００）で番組切り換え時間（ＰＭ７：００）に達する前に、番組切り換えを予約（視聴予約）しておくこともできる。図８は、このような番組の視聴予約がどのようになされるかを例示している。
【００４２】
　いま、図８の番組リスト２１０がＰＭ６：５８から画面表示されており、ユーザが、ＰＭ６：５９に、図示しないリモコンの視聴予約キーを押してからカーソルキー操作によりＣＨ７のスポーツ番組２１７を選択し、決定キーを押してその視聴を予約したとする（この予約が確定すれば、表示装置２０の画面上に「視聴予約が完了しました」といった表示が出力される）。
【００４３】
　この予約がなされると、ＰＭ７：００にユーザがＣＨ７を選択する操作をしなくても、ＰＭ７：００になれば、制御部２４が受信チャネルを自動的にＣＨ７へ切り換える。その結果、図９に例示されるように、ＰＭ７：００から始まるＣＨ７のスポーツ番組２１７を、最初から欠けることなく視聴できるようになる。」
　
（２）刊行物１発明
　刊行物１には、特定の時間または所定のタイミングで番組情報を自動的に表示できる装置および方法に関する発明が記載されており（【０００１】）、該発明の実施の形態として、放送番組情報表示装置および放送番組情報表示方法が記載されている（【００１５】）。後者の放送番組情報表示方法は、前者の放送番組情報表示装置が番組情報を自動的に表示する方法である。
　よって、放送番組情報表示装置が、番組情報を自動的に表示する放送番組情報表示方法として刊行物１発明を認定する。
　該方法は、番組終了の何分前に自動番組表表示機能を動作させるかを設定でき（【００３６】、【図６】のステップＳＴ１４）、例えば、“２分前”に設定されると、現在視聴している番組が終了する２分前に（ステップＳＴ１６イエス）、電子番組表を自動的に表示する（【００３７】、【図６】のステップＳＴ１８）。“２分前”は単なる例示であるので、該方法は、現在視聴している番組が終了する“設定された時間前”に、番組情報として、電子番組表を自動的に表示するものであるといえる。
　また、刊行物１に記載の方法で表示される電子番組表は、例えば、ＰＭ６：５８に画面表示される番組リスト（【００４２】）であって、５ＣＨを視聴しているときに、ＰＭ７：００から放送される番組リスト（５ＣＨのニュース２４、６ＣＨののらえもん、７ＣＨのスポーツ番組、８ＣＨの怒っていいとも（２１５−２１８））が表示される（【図８】）というものである。
　
　以上をまとめると、刊行物１には、次の発明（以下、「刊行物１発明」という）が記載されていると認められる。
　
［刊行物１発明］
　放送番組情報表示装置が、番組終了の何分前に自動番組表表示機能を動作させるかを設定でき、現在視聴している番組が終了する“設定された時間前”に電子番組表を自動的に表示し、例えば、ＰＭ６：５８に画面表示される番組リストであって、５ＣＨを視聴しているときに、ＰＭ７：００から放送される番組リスト（５ＣＨのニュース２４、６ＣＨののらえもん、７ＣＨのスポーツ番組、８ＣＨの怒っていいとも）を表示する放送番組情報表示方法。
　
（３）刊行物２の記載事項
　平成２５年３月１日付けで通知した拒絶の理由で引用された本願の出願前に頒布された刊行物である特開２００６−２３７８７３号公報（以下、「刊行物２」という）には、図面とともに次の事項が記載されている。
　
「【０００４】
　しかしながら、従来のテレビジョン受像機では、ユーザがリモコン操作によって電子番組表の表示を指示しない限り、電子番組表が画面に表示されることはなく、次の時間帯にいつも見ている番組があるにも拘わらず、それを忘れてそのままチャンネルを変えることなく同一チャンネルの次の番組を見てしまい、本当に見たかった番組を見逃してしまう場合があるという問題があった。
　また、番組表に基づいて録画予約ができるものがあるが、次の時間帯に録画したい番組が放送される場合、録画予約するのを忘れてしまったとき、その番組が開始されてからそのことに気づき、録画する機会を逃してしまう場合があるという問題があった。
　本発明はこのような状況に鑑みてなされたものであり、現在視聴している番組が終了する一定時間前に番組表を表示して、次に視聴したい番組の選局や録画を予約することができるようにするものである。」
　
「【００３７】
　なお、上記実施の形態では、いま、視聴している番組が終了する一定時間前に番組選択メニューを表示するようにしたが、番組選択メニューを表示するタイミングはこれに限定されるものではない。例えば、いま視聴している番組が終了する一定時間前より以降、コマーシャルが放送されたとき、番組選択メニューを表示することもできる。」
　
　以上の記載から、刊行物２には、テレビジョン受像機において、次に視聴したい番組の選局や録画を予約する（【０００４】）ために、いま、視聴している番組が終了する一定時間前に番組表を表示するのに代えて、いま視聴している番組が終了する一定時間前より以降、コマーシャルが放送されたとき、番組表を表示することが記載されている（【００３７】）と認められる。
　
４．本願発明と刊行物１発明との対比
（１）本願発明の「放送受信装置が、」「番組の情報を表示する放送表示方法」について
　
　刊行物１発明における放送番組情報表示装置は、アンテナで放送波信号を受信するものである（【００１７】）から、「放送受信装置」といえるものであり、また、刊行物１の放送番組情報表示方法は、電子番組表を表示するから、「番組の情報を表示する放送表示方法」といえる。
　よって、本願発明と刊行物１発明とは、「放送受信装置が、」「番組の情報を表示する放送表示方法」である点で一致する。
　
（２）本願発明の「受信中のチャンネルで放送中の番組本編が終了した後にコマーシャルが開始されると、当該コマーシャル中に、」「番組の情報を表示する」について
　
　上記（１）で述べたように、本願発明と刊行物１発明は、「番組の情報を表示する」点では一致する。
　本願発明の、番組の情報を表示する、コマーシャル中とは、受信中のチャンネルで放送中の番組本編が終了した後、次番組の放送開始前（【００２１】）の時間である。
　刊行物１発明の、電子番組表を表示する、現在視聴している番組が終了する“設定された時間前”とは、例えば、ＰＭ７：００から放送される番組リストを表示するＰＭ６：５８のことであるから、次番組の放送開始前である。
　したがって、両者は、「次番組の放送開始前に番組の情報を表示する」点では共通している。
　しかしながら、番組の情報を、本願発明では、「受信中のチャンネルで放送中の番組本編が終了した後にコマーシャルが開始されると、当該コマーシャル中に、」表示するのに対し、刊行物１発明では、コマーシャル中か否かに拘わらず表示する点で、両者は相違する。
　
（３）本願発明の「受信中のチャンネルで次に放送される番組の情報又は前記開始時刻と同時刻に他のチャンネルで放送が開始される番組の情報を表示する」について
　
　本願発明の「前記開始時刻と同時刻に他のチャンネルで放送が開始される番組の情報」について、この「開始時刻」は「前記」されていないが、本願明細書の【００２７】に「あるチャンネルの番組の視聴中に当該チャンネルの次番組の放送開始まで第２閾値時間以内になったとき、当該チャンネルの次番組の放送開始時刻に当該チャンネル以外の他チャンネルで放送されている番組情報から成る裏番組情報を表示する。」とあるから、本願発明の「前記開始時刻」とは、あるチャンネルの番組の視聴中に当該チャンネルの次番組の放送開始時刻、すなわち、請求項３の記載でいう「受信中のチャンネルで次に放送される番組」の開始時刻のことであると認められる。（なお、請求項３には、「コマーシャルが開始」と記載されており、「前記開始時刻」とは、このコマーシャルの開始時刻のこととも文理上は理解し得るが、そのようなことは明細書には全く記載がないから、この理解は妥当ではない。）
　刊行物１発明で表示される電子番組表は、例えば、ＰＭ６：５８に画面表示される番組リストであって、５ＣＨを視聴しているときに、ＰＭ７：００から放送される番組リスト（５ＣＨのニュース２４、６ＣＨののらえもん、７ＣＨのスポーツ番組、８ＣＨの怒っていいとも）が表示されるものであり、この番組リストの５ＣＨの‘ニュース２４’は、「受信中のチャンネルで次に放送される番組の情報」、また、６ＣＨの‘のらえもん’などは「前記開始時刻と同時刻に他のチャンネルで放送が開始される番組の情報」といえる。
　したがって、本願発明と刊行物１発明は、「受信中のチャンネルで次に放送される番組の情報又は前記開始時刻と同時刻に他のチャンネルで放送が開始される番組の情報を表示する」点で一致する。
　
（４）一致点、相違点
　以上（１）−（３）をまとめると、本願発明と刊行物１発明の一致点、相違点は次のとおりである。
　
［一致点］
　放送受信装置が、次番組の放送開始前に、当該受信中のチャンネルで次に放送される番組の情報又は前記開始時刻と同時刻に他のチャンネルで放送が開始される番組の情報を表示する放送表示方法。
　
［相違点］
　番組の情報を、本願発明では、「受信中のチャンネルで放送中の番組本編が終了した後にコマーシャルが開始されると、当該コマーシャル中に、」表示するのに対し、刊行物１発明では、コマーシャル中か否かに拘わらず表示する点。
　
５．当審の判断
　刊行物１発明は、番組終了の何分前に自動番組表表示機能を動作させるかを設定でき、現在視聴している番組が終了する“設定された時間前”に電子番組表を自動的に表示するものであり、この設定時間は必要に応じて任意の時間にできるものである。
　一方、刊行物１には、一例として、「現在視聴している番組が終了する“２分前”に番組表の自動表示機能を動作させる」場合（【００３６】）について記載されている。このような現在視聴している番組が終了する２分前には、通常の放送では、放送番組の本編が終了しコマーシャルが開始されているのはよくあることである。
　そして、刊行物２には、テレビジョン受像機において、次に視聴したい番組の選局や録画を予約するために、いま、視聴している番組が終了する一定時間前に番組表を表示するのに代えて、いま視聴している番組が終了する一定時間前より以降、コマーシャルが放送されたとき、番組表を表示することが記載されているから、視聴予約のために、現在視聴している番組が終了する“設定された時間前”に番組表を表示する刊行物１発明において、刊行物２に記載されたように、いま、視聴している番組が終了する一定時間前に番組表を表示するのに代えて、いま視聴している番組が終了する一定時間前より以降、コマーシャルが放送されたとき、すなわち、「受信中のチャンネルで放送中の番組本編が終了した後にコマーシャルが開始されると、当該コマーシャル中に、」番組表を表示することは、当業者が容易に想到し得ることである。
　
　したがって、本願発明は、刊行物１発明及び刊行物２に記載された技術事項に基づいて当業者が容易に発明をすることができたものであり、その効果についても当業者が予測し得るものである。
　
５．むすび
　以上のとおりであるから、本願の請求項３に係る発明は、特許法第２９条第２項の規定により特許を受けることができない。
　したがって、本願は、その余の請求項１、２、４について論及するまでもなく、拒絶すべきものである。
　よって、結論のとおり審決する。